(57)【要約】【課題】画像メモリに蓄積されている送信待ちの蓄積画像を印刷して参照することができる通信装置を提供する。【解決手段】画像データを蓄積する画像メモリ８と、画像データを用紙（シート）に印刷（画像形成）する記録部（画像形成手段）３と、画像メモリ８に蓄積されている送信待ちの画像の印刷を指示する操作部（指示手段）５と、前記印刷の指示に応じて、画像メモリ８に蓄積されている１又は複数の送信ジョブに対応する画像を用紙に印刷するように、画記録部３及び画像の読出しを制御する制御部（制御手段）１とを備え、前記印刷の指示により、画像メモリ８に蓄積されている複数の各送信ジョブに対応する画像を用紙に集約印刷する。【選択図】　　　　図１
2004015525.tif 000002
【特許請求の範囲】
【請求項１】
原稿の画像の送信ジョブを受付ける受付手段と、受付けた１又は複数の送信ジョブ毎に原稿の画像を蓄積する画像メモリと、画像メモリに蓄積されている蓄積画像を送信する通信手段と、蓄積画像をシートに形成する画像形成手段と、蓄積画像のシートへの形成を指示する指示手段と、指示手段から蓄積画像の形成が指示された場合、送信待ち状態の蓄積画像を画像メモリから読出してシートに形成するように画像形成手段を制御する制御手段とを備えることを特徴とする通信装置。
【請求項２】
各送信ジョブを識別する識別情報を記憶する識別情報記憶部と、画像メモリから消去すべき蓄積画像に対応する送信ジョブの識別情報を入力する操作部とを備え、制御手段は、画像メモリから読出した蓄積画像をシートに形成する際、識別情報記憶部を参照して、読出した蓄積画像に対応する送信ジョブの識別情報を取得し、読出した蓄積画像に取得した識別情報を付してシートに形成するように画像形成手段を制御すべくなしてあることを特徴とする請求項１記載の通信装置。
【請求項３】
制御手段は、指示手段から蓄積画像の形成が指示された場合、複数の送信ジョブ夫々に対応する蓄積画像が送信待ち状態のときは、前記複数の送信ジョブ夫々に対応する蓄積画像を１枚のシートに集約して形成するように画像形成手段を制御すべくなしてあることを特徴とする請求項１又は２記載の通信装置。
【請求項４】
制御手段は、複数の送信ジョブ夫々に対応する蓄積画像を１枚のシートに集約して形成する際、各送信ジョブ夫々に対応する原稿の先頭頁の画像を１枚のシートに並べた形態で形成するように画像形成手段を制御すべくなしてあることを特徴とする請求項３記載の通信装置。
【請求項５】
１枚のシートに集約する画像数の上限値を記憶する上限値記憶部を備え、制御手段は、シートに形成すべき画像数が上限値を超えている場合、超えた分の画像は２枚目以降のシートに形成するように画像形成手段を制御すべくなしてあることを特徴とする請求項３又は４記載の通信装置。
【発明の詳細な説明】
【０００１】
【発明の属する技術分野】
本発明は、画像メモリに蓄積されている送信待ちの蓄積画像をシートに形成して参照することが可能な通信装置に関する。
【０００２】
【従来の技術】
原稿を送信先に送付する場合、ファクシミリ装置等の通信装置が使用される。一般的なファクシミリ装置においては、原稿を読取って得た画像データ（原稿画像データ）を画像メモリに蓄積し、送信先と回線が接続された後、画像メモリに蓄積されている原稿画像データを送信する。また、ファックス送受信中に他の原稿を読取る等して、画像メモリに複数の送信ジョブの原稿画像データを蓄積し、蓄積された各送信ジョブの原稿画像データを順次送信することも可能である。ただし、送信ジョブの原稿画像データは、送信ジョブに対応する（送信ジョブで送信する）原稿画像データを意味する。
【０００３】
画像メモリに蓄積されている送信待ち状態の原稿画像データは、送信を中止することが可能である。例えば誤字脱字等の間違いを見付けた場合に、間違いを見付けた原稿画像データを画像メモリから消去することが可能である。操作者は、送信の中止処理を、キャンセルキー等のキー操作又は表示画面内のキャンセル項目の選択等によって指示する。
【０００４】
送信の中止処理が指示された場合、画像メモリに蓄積されている各送信ジョブの原稿画像データの送信先ファックス番号及び原稿画像枚数等が表示画面に表示される。また、送信先ファックス番号が短縮ダイヤル等に登録されている場合は、送信先名称等も表示される。操作者は、表示された各送信ジョブに関する情報に基づいて、送信を中止する送信ジョブを選択し、選択した送信ジョブの原稿画像データの消去を指示する。
【０００５】
【発明が解決しようとする課題】
しかし、送信先ファックス番号の一覧から目的の送信ジョブを選択するのは困難であり、迅速に送信を中止できない。送信の中止を迅速に行わなければ、中止すべき送信ジョブの原稿画像データの送信が開始されてしまう。また、ファクシミリ番号に基づいて送信ジョブを選択した場合、違う送信ジョブを選択する可能性がある。特に送信先ファックス番号が同じ送信ジョブは、区別することが困難である。
【０００６】
原稿画像枚数に基づいて、送信ジョブを選択することも可能であるが、原稿画像枚数の確認は手間がかかり、しかも、原稿画像枚数が同じ送信ジョブを区別することは困難である。また、送信先名称に基づいて、送信ジョブを選択することも可能であるが、送信先名称は常に表示されるわけではなく、しかも、送信先名称が同じ送信ジョブを区別することは困難である。
【０００７】
本発明は斯かる事情に鑑みてなされたものであり、画像メモリに蓄積されている送信待ちの蓄積画像をシートに形成して参照することができる通信装置を提供することを目的とする。
【０００８】
また、本発明は、画像メモリに蓄積されている蓄積画像及び該蓄積画像の識別情報をシートに形成することにより、シートに形成された各画像の識別情報が容易に分かる通信装置を提供することを他の目的とする。
【０００９】
また、本発明は、画像メモリに蓄積されている複数の送信ジョブ夫々に対応する蓄積画像を１枚のシートに集約して形成することにより、シート使用量を抑制すると共に、画像の形成時間及び各画像の確認時間を短縮することができる通信装置を提供することを他の目的とする。
【００１０】
また、本発明は、画像メモリに蓄積されている複数の送信ジョブ夫々に対応する蓄積画像のうち、先頭画像だけをシートに形成して、シート使用量を最小限に抑えると共に、各送信ジョブに対応する画像の確認を効率的に行うことができる通信装置を提供することを他の目的とする。
【００１１】
また、本発明は、１シートに形成する画像数の上限値を指定することにより、画像サイズを、画像の内容が識別できる大きさに保つことができる通信装置を提供することを他の目的とする。
【００１２】
【課題を解決するための手段】
第１発明に係る通信装置は、原稿の画像の送信ジョブを受付ける受付手段と、受付けた１又は複数の送信ジョブ毎に原稿の画像を蓄積する画像メモリと、画像メモリに蓄積されている蓄積画像を送信する通信手段と、蓄積画像をシートに形成する画像形成手段と、蓄積画像のシートへの形成を指示する指示手段と、指示手段から蓄積画像の形成が指示された場合、送信待ち状態の蓄積画像を画像メモリから読出してシートに形成するように画像形成手段を制御する制御手段とを備えることを特徴とする
【００１３】
このような通信装置は、指示手段から蓄積画像の形成指示があった場合、制御手段によって画像形成手段を制御し、画像メモリに蓄積されている各送信ジョブに対応する蓄積画像をシートに形成する。例えば、各蓄積画像を１枚づつシートに形成したり、各送信ジョブに対応する複数の画像を送信ジョブ毎に１枚のシートに集約して形成する。また、蓄積画像を送信中の送信ジョブに関して、未送信分の蓄積画像をシートに形成することも可能である。画像メモリに蓄積されている送信待ちの原稿の画像を用紙に印刷して、各画像を参照することができる。
【００１４】
第２発明に係る通信装置は、第１発明において、各送信ジョブを識別する識別情報を記憶する識別情報記憶部と、画像メモリから消去すべき蓄積画像に対応する送信ジョブの識別情報を入力する操作部とを備え、制御手段は、画像メモリから読出した蓄積画像をシートに形成する際、識別情報記憶部を参照して、読出した蓄積画像に対応する送信ジョブの識別情報を取得し、読出した蓄積画像に取得した識別情報を付してシートに形成するように画像形成手段を制御すべくなしてあることを特徴とする。
【００１５】
このような通信装置は、各送信ジョブの識別情報を識別情報記憶部に記憶する。例えば、制御手段により、各送信ジョブに、画像の送信を受付けた時刻が古い方から昇順の番号（送信ジョブ番号）を割当てて、識別情報記憶部に記憶する。制御手段により、識別情報記憶部から各送信ジョブの送信ジョブ番号等の識別情報を取得すると共に、画像形成手段を制御して、各送信ジョブに対応する画像に送信ジョブ番号を付してシートに形成する。シートに形成された画像及び識別情報から、画像メモリに記憶されている画像を確認できると共に、前記画像の送信ジョブ番号（識別情報）も知ることができる。識別情報は、例えば消去すべき蓄積画像に対応する送信ジョブの指定に使用する。操作部から入力された識別情報の送信ジョブに対応する蓄積画像は、制御手段によって消去される。
【００１６】
第３発明に係る通信装置は、第１又は第２発明において、制御手段は、指示手段から蓄積画像の形成が指示された場合、複数の送信ジョブ夫々に対応する蓄積画像が送信待ち状態のときは、前記複数の送信ジョブ夫々に対応する蓄積画像を１枚のシートに集約して形成するように画像形成手段を制御すべくなしてあることを特徴とする。
【００１７】
このような通信装置は、指示手段から指示があった場合、制御手段により、各送信ジョブに対応する蓄積画像を読出すと共に、画像形成手段を制御して、読出した複数の蓄積画像を１枚のシートに集約して形成する。例えば、各送信ジョブ夫々に対応する原稿の１枚目及び２枚目の蓄積画像をシートに形成する。複数ジョブ夫々に対応する蓄積画像を１枚のシートに集約形成することにより、画像形成時間を短縮し、各画像の確認を迅速に行うことができる。
【００１８】
第４発明に係る通信装置は、第３発明において、制御手段は、複数の送信ジョブ夫々に対応する蓄積画像を１枚のシートに集約して形成する際、各送信ジョブ夫々に対応する原稿の先頭頁の画像を１枚のシートに並べた形態で形成するように画像形成手段を制御すべくなしてあることを特徴とする。
【００１９】
このような通信装置は、指示手段から指示があった場合、制御手段により、各送信ジョブに対応する蓄積画像の先頭画像を読出すと共に、画像形成手段を制御して、読出した複数の先頭画像を１枚のシートに集約して形成する。先頭画像は、各送信ジョブに対応する画像のタイトル等を含んでいることが多く、先頭画像から各送信ジョブに対応する画像を区別できる。例えば、ファクシミリ送信においては、先頭画像に含まれる宛先、件名、送信元等から各画像（送信ジョブ）を区別したり、先頭画像に含まれる手書き文字の筆跡又は文書レイアウト等から各画像（送信ジョブ）を区別することができる。
【００２０】
第５発明に係る通信装置は、第３又は第４発明において、１枚のシートに集約する画像数の上限値を記憶する上限値記憶部を備え、制御手段は、シートに形成すべき画像数が上限値を超えている場合、超えた分の画像は２枚目以降のシートに形成するように画像形成手段を制御すべくなしてあることを特徴とする。
【００２１】
このような通信装置は、１シートに形成する画像数の上限値を上限値記憶部に記憶する。制御手段により、画像形成手段を制御して、上限値記憶部に記憶されている上限値以下の画像を１シートに集約して形成すると共に、前記上限値を超えた画像数の画像を複数シートに分けて形成する。例えば、上限値が４で、シートに形成する画像数が７の場合は、１枚目のシートに４画像を形成し、２枚目のシートに３画像を形成する。１シートに形成する画像数が多くなるほど、シート使用量は少なくなるが、各画像の縮小率は高くなり、画像の内容の確認が困難になる。上限値記憶部に記憶する上限値は、シートに形成した画像の内容が確認できる範囲で、なるべく大きな値に設定することが好ましい。
【００２２】
【発明の実施の形態】
以下、本発明をその実施の形態を示す図面に基づいて具体的に説明する。
図１に本発明に係る通信装置を備えたファクシミリ装置の構成を示す。ファクシミリ装置は複写機の機能も備えている。ファクシミリ装置は、制御部（制御手段）１、読取部２、記録部（画像形成手段）３、表示部４、操作部５、ＲＯＭ（Ｒｅａｄ　Ｏｎｌｙ　Ｍｅｍｏｒｙ）６、ＲＡＭ（Ｒａｎｄｏｍ　Ａｃｃｅｓｓ　Ｍｅｍｏｒｙ）７、画像メモリ８，モデム（通信手段）９、ＮＣＵ（Ｎｅｔｗｏｒｋ　Ｃｏｎｔｒｏｌ　Ｕｎｉｔ）１０、ＣＯＤＥＣ（符号化・復号化器）１１、用紙収容部１３を備えている。
【００２３】
上述したハードウェア各部（１〜１１、１３）は、バス１２に接続されている。制御部（ＣＰＵ：Ｃｅｎｔｒａｌ　Ｐｒｏｃｅｓｓｉｎｇ　Ｕｎｉｔ）１は、ハードウェア各部（２〜１１、１３）の制御を行う。また、制御部１は、ＲＯＭ６に格納されているコンピュータプログラムを読出して、種々の機能を実行する。
【００２４】
読取部２は、例えばＣＣＤ（Ｃｈａｒｇｅ　Ｃｏｕｐｌｅｄ　Ｄｅｖｉｃｅ）を使用して原稿を読取る。読取った原稿の画像データは、画像メモリ８に記憶される。記録部３は、電子写真方式のプリンタを備え、ファクシミリ通信により受信した画像データ、読取部２で読取った画像データを用紙（シート）に印刷（画像形成）する。用紙収容部１３は、記録部３に供給する用紙が収容されている。
【００２５】
操作部５は、ファクシミリ装置の操作に使用する各種キーを備えている。例えば、テンキー２０、メニューキー２２、選択キー２４、ファンクションキー２６、スタートキー２８、キャンセルキー３０、ＦＡＸ／コピーキー３２等を備える。なお、表示部４をタッチパネル方式とすることにより、操作部５の各種キーの一部または全部を代用することも可能である。
【００２６】
テンキー２０は、“０”〜“９”の数字等の入力に使用するキーである。メニューキー２２は、設定メニューを表示部４に表示したり、設定メニューの表示切換等に使用するキーである。選択キー２４は、前記設定メニューに含まれる選択項目の選択等に使用するキーである。ファンクションキー２６は、所定の処理又は機能の実行等が割当てられたキーである。
【００２７】
また、スタートキー２８は、ＦＡＸの送信又はコピーの開始等に使用するキーである。キャンセルキー３０は、実行中の処理の中止又は設定内容のクリア等に使用するキーである。ＦＡＸ／コピーキー３２は、ＦＡＸ機能とコピー機能との切換え等に使用するキーである。表示部４は、液晶表示装置等の表示装置であり、ファクシミリ装置の動作状態を表示したり、操作部５から入力された文字等を表示する。
【００２８】
ＲＯＭ６は、ファクシミリ装置の動作に必要な種々のプログラム及びデータ等が予め記憶されている。ＲＡＭ７は、ＳＲＡＭ（Ｓｔａｔｉｃ　ＲＡＭ）等を含み、ソフトウェアの実行時に発生する一時的なデータ等を記憶する。また、ＲＡＭ７は、フラッシュメモリ等の電源切断時もデータを保持するメモリを含む。画像メモリ８は、ＤＲＡＭ（Ｄｙｎａｍｉｃ　ＲＡＭ）等を含み、読取部２から読取った画像データ、ファックス受信した画像データ等を蓄積（記憶）する。
【００２９】
モデム９は、ファクシミリ通信が可能なファクスモデムである。また、モデム９は、ＮＣＵ１０と直接的に接続されている。ＮＣＵ１０は、公衆電話回線網とアナログ回線Ｌとの閉結及び開放の動作を行うハードウェアであり、必要に応じてモデム９を公衆電話回線網と接続する。ＤＳＵ（Ｄｉｇｉｔａｌ　Ｓｅｒｖｉｃｅ　Ｕｎｉｔ）を備えることにより、ディジタル回線網に接続することも可能である。ＣＯＤＥＣ１１は、画像データの符号化及び復号化を行う装置であり、例えば、読取部２で読取った画像データをファクシミリ送信するために符号化し、ファクシミリ受信した画像データを復号化したり、画像メモリ８に記憶する画像データを符号化及び復号化する。
【００３０】
操作部５は、例えばテンキー２０によるファクシミリ送信先のファックス番号の入力及びスタートキー２８による送信指示（送信ジョブ）を受付ける手段（受付手段）として動作する。送信する原稿の画像データ（原稿画像データ）は、読取部２から受付け、画像メモリ８に蓄積する。複数の送信ジョブを受付けて、各送信ジョブに夫々対応する原稿画像データを記憶することも可能である。
【００３１】
画像メモリ８に蓄積されている蓄積画像は、受付けた各送信ジョブに対応する（各送信ジョブで送信する）原稿画像に分かれており、読取部２で連続的に読取った１又は複数の原稿画像データを１単位にしている。画像メモリ８には、例えば、図３に示すように、送信ジョブ１の原稿画像（原稿画像データ１−１〜１−８：合計８枚）、送信ジョブ２の原稿画像（原稿画像データ２−１〜２−５：合計５枚）、送信ジョブ３の原稿画像（原稿画像データ３−１：合計１枚）、送信ジョブ４の原稿画像（原稿画像データ４−１〜４−３：合計３枚）が記憶されている。ここで、送信ジョブｎ（ｎは整数）の原稿画像は、送信ジョブｎに対応する（送信ジョブｎで送信する）原稿画像を意味する。
【００３２】
操作部５は、画像メモリ８に記憶されている蓄積画像（各送信ジョブの原稿画像データ）の印刷を指示する手段（指示手段）として動作する。本説明においては、原稿参照キーを操作することにより、画像メモリに記憶されている原稿画像データの印刷を指示する。例えば、図２（ａ）に示すように、表示部４に原稿画像消去画面を表示した状態で、選択キー２４ｂ（原稿参照キー）を操作して、画像メモリ８に蓄積されている原稿画像データの印刷を指示する。制御部１は、選択キー２４ｂによる印刷指示に応じて、画像メモリ８に蓄積されている各送信ジョブに対応する原稿画像データを用紙（シート）に印刷（画像形成）するように、記録部３及び原稿画像データの読出しを制御する。
【００３３】
原稿画像消去画面は、例えば、メニューキー２２及び選択キー２４を操作して、表示部４に表示する。または、キャンセルキー３０又はファンクションキー２６等のキーを操作して、原稿画像消去画面を表示することも可能である。原稿画像消去画面においては、選択キー２４ａ（変更キー）を操作して表示されている送信ジョブに関する情報（送信ジョブ情報）を変更し、選択キー２４ｃ（消去キー）を操作して、表示されている送信ジョブ情報（送信ジョブ）の原稿画像データを消去する。選択キー２４ａの操作に応じた送信ジョブ情報の表示切換及び選択キー２４ｃの操作に応じた画像原稿データの消去は制御部１が行う。
【００３４】
制御部１は、図２（ａ）に示した選択キー２４ｂによる印刷指示に応じて、画像メモリ８に蓄積されている各送信ジョブの先頭原稿画像データ（原稿画像データ１−１，２−１，３−１，４−１）を読出し、読出した複数の先頭原稿画像データを用紙に印刷（画像形成）するように記録部３を制御する。
【００３５】
ＲＡＭ７には、各送信ジョブを識別する送信ジョブ番号（識別情報）、送信先のファックス番号、送信先の名称（登録されている場合のみ）、原稿画像の枚数を含む送信ジョブ情報が記憶される。送信ジョブ情報の例を図４に示す。図４に示す送信ジョブ番号１〜４は、図３に示す送信ジョブ１〜４に夫々対応している。図４の例では、送信ジョブ番号２，３に対応する送信先の名称は記憶されていない。制御部１は、図２（ａ）に示した選択キー２４ｂによる印刷指示に応じて、各送信ジョブの原稿画像データを用紙に印刷する場合、送信ジョブ情報を参照して各送信ジョブの送信ジョブ番号を取得し、送信ジョブ番号も印刷するように記録部３を制御する。
【００３６】
また、ＲＡＭ７には、１枚の用紙に印刷する原稿画像数の上限値が記憶されている。本実施の形態では、上限値として“４”が記憶されている。制御部１は、ＲＡＭ７に記憶されている上限値（４）以内の原稿画像を１枚の用紙に集約して印刷（集約印刷）するように記録部３を制御する。例えば、図５に示すように、１枚の用紙４０に、送信ジョブ１〜４の先頭原稿画像４枚が送信ジョブ番号１〜４付きで集約印刷される。ただし、用紙に印刷すべき原稿画像数が５以上の場合、制御部１は、複数用紙に原稿画像を印刷するように記録部３及び原稿画像データの読出しを制御する。
【００３７】
次に、本発明に係る通信装置を用いた蓄積画像の消去について説明する。本説明では、画像メモリ８に蓄積されている蓄積画像を消去する前に、蓄積画像に含まれる各原稿画像の先頭画像の印刷し、消去する原稿画像の選択を受付ける。
【００３８】
各送信ジョブの先頭原稿画像の印刷手順の例を図６に示す。操作者は、メニューキー２２及び選択キー２４を操作して原稿画像消去画面を表示部４に表示する。制御部１は、ＲＡＭ７に記憶されている送信ジョブ情報を読出して、例えば送信ジョブ１に関する送信ジョブ情報（送信ジョブ番号、送信先のファックス番号、送信先の名称（登録されている場合）、原稿画像の枚数）を表示部４に表示する。
【００３９】
操作者は、選択キー２４ｂを操作して原稿画像の参照を指示する（Ｓ１０）。指示を検出した制御部１は、画像メモリ８から４つの送信ジョブの先頭原稿画像データを読出す（Ｓ１２）。例えば、送信ジョブ番号の小さい送信ジョブから順に、先頭原稿画像データを読出す。ただし、画像メモリ８に３つ以下の送信ジョブの原稿画像しか記憶されていない場合は、１つ，２つ又は３つの送信ジョブの先頭原稿画像データを読出す。また、図示していないが、制御部１は、送信ジョブ情報から、前記読出した各先頭原稿画像データに対応する送信ジョブ番号を取得する。
【００４０】
制御部１により、読出した４つの先頭原稿画像データは記録部３に送られ、４つの先頭原稿画像が１枚の用紙に集約して印刷（集約印刷）される（Ｓ１４）。例えば、図５に示すように、送信ジョブ番号１〜４の先頭原稿画像及び送信ジョブ番号を１枚の用紙に印刷する。先頭原稿画像の印刷が済んでいない送信ジョブがまだある場合（Ｓ１６：ＮＯ）は、同様の処理（Ｓ１２、Ｓ１４）を行う。全送信ジョブの先頭原稿画像の印刷が終了している場合（Ｓ１６：ＹＥＳ）は、先頭原稿画像の印刷処理を終了する。最後に印刷した用紙には、１つ〜４つの先頭原稿画像が集約印刷される。
【００４１】
操作者は、用紙に印刷された先頭原稿画像から、目的の原稿（送信ジョブ）を選択することができると共に、選択した原稿の送信ジョブ番号を知ることができる。送信ジョブ番号は、消去する原稿画像データの指定に使用する。
【００４２】
原稿画像データの消去手順の例を図７に示す。操作者が、原稿画像消去画面において、消去キー（選択キー２４ｃ）を押下した場合（Ｓ２４：ＹＥＳ）、制御部１は、表示部４に表示されている送信ジョブ情報（送信ジョブ）の原稿画像データを画像メモリ８から消去して（Ｓ２６）、消去処理を終了する。また、消去キーは押下されていないが（Ｓ２４：ＮＯ）、キャンセルキー３０が押下された場合（Ｓ２８：ＹＥＳ）、制御部１は、消去処理を終了する。
【００４３】
消去キー及びキャンセルキー３０が押下されず（Ｓ２４：ＮＯ、Ｓ２８：ＮＯ）、操作者が、選択キー２４ａ（変更キー）を押下した場合（Ｓ３０：ＹＥＳ）、制御部１は、表示部４に表示されている送信ジョブ情報を変更する（Ｓ３２）。例えば、選択キー２４ａが押下される都度、送信ジョブ番号が大きくなるように、表示されている送信ジョブ情報を変更する。以下、消去キーが押下される（Ｓ２４：ＹＥＳ）又はキャンセルキー３０が押下される（Ｓ２８：ＹＥＳ）まで、同様の処理を行う（Ｓ２４：ＮＯ、Ｓ２８：ＮＯ、Ｓ３０、Ｓ３２）。
【００４４】
上述した実施の形態においては、画像メモリ８に蓄積されている蓄積画像の印刷を、選択キー２４ｂで指示したが、操作部５に原稿参照キー（独立したキー）を設けることも可能である。例えば図２（ｂ）に示すように、原稿参照キー３８を設け、原稿参照キー３８を操作した場合に、制御部１により、画像メモリ８に蓄積されている原稿画像データを用紙に印刷（画像形成）するように記録部３を制御すると共に、原稿画像消去画面を表示部４に表示する。
【００４５】
また、上述した実施の形態においては、１枚の用紙に４枚の先頭原稿画像を印刷したが、４枚に限定はされず、６枚等の任意枚数の先頭原稿画像を１枚の用紙に印刷することが可能である。また、上述した実施の形態においては、印刷した原稿画像に送信ジョブ番号を付加しているが、送信ジョブ番号だけでなく、送信先のファックス番号、送信先の名称、原稿画像の枚数の中の１又は複数の項目を、送信ジョブ番号と共に印刷することも可能である。
【００４６】
また、上述した実施の形態においては、ファクシミリ送信を例にして、蓄積画像の消去について説明したが、ファクシミリ送信に限定はされず、任意の目的で画像メモリに蓄積された蓄積画像を集約印刷して参照することが可能である。
【００４７】
【発明の効果】
第１発明によれば、画像メモリに蓄積されている送信待ちの蓄積画像をシートに形成することにより、操作者は、前記シートを見て、画像メモリに蓄積されている各蓄積画像の内容を容易に知ることができる。
【００４８】
第２発明によれば、画像メモリに蓄積されている蓄積画像及び該蓄積画像に対応する送信ジョブの識別情報をシートに形成することにより、操作者は、シートに形成された各画像に対応する送信ジョブの識別情報を容易に知ることができる。識別情報を使用して、消去する蓄積画像を指定すること等ができる。
【００４９】
第３発明によれば、複数の送信ジョブ夫々に対応する蓄積画像を１シートに集約して形成することにより、シートの使用量を抑制することができると共に、画像の形成時間及びシートに形成された各画像の確認時間を短縮することができる。
【００５０】
第４発明によれば、各送信ジョブに対応する蓄積画像の先頭画像だけをシートに形成することにより、シートの使用量を最小限に抑えることができると共に、各送信ジョブに対応する画像の確認を効率的に行うことができる。
【００５１】
第５発明によれば、１シートに形成する画像数の上限値を指定することにより、画像サイズを、画像の内容が識別できる大きさに保つことができる。前記上限値より画像数の多い画像データの形成を、複数のシートに分けることができる。
【図面の簡単な説明】
【図１】本発明に係る通信装置を備えたファクシミリ装置の例を示すブロック図である。
【図２】原稿画像消去画面の例を示す図である。
【図３】画像メモリに蓄積されている蓄積画像（各送信ジョブの原稿画像データ）の概念図である。
【図４】送信ジョブ情報の例を示す図である。
【図５】複数の送信ジョブ夫々の先頭原稿画像の印刷例を示す図である。
【図６】先頭原稿画像の印刷手順の例を示すフローチャートである。
【図７】原稿画像データの消去手順の例を示すフローチャートである。
【符号の説明】
１　制御部（制御手段）
３　記録部（画像形成手段）
５　操作部（受付手段、指示手段）
７　ＲＡＭ　（識別情報記憶部、上限値記憶部）
８　画像メモリ
９　モデム（通信手段）
４０　用紙（シート）
【図１】
2004015525.tif 000003
【図２】
2004015525.tif 000004
【図３】
2004015525.tif 000005
【図４】
2004015525.tif 000006
【図５】
2004015525.tif 000007
【図６】
2004015525.tif 000008
【図７】
2004015525.tif 000009